(57)【要約】【課題】部品点数の削減および小型化を図る上で有利であり、また、カバーのがたつきの抑制を図る上で有利な電子機器を提供する。【解決手段】ハードディスク用収容部４６の外側の上下部のケース１２箇所に、ケース側壁面６６と第１ケース側ガイド壁６８と第２ケース側ガイド壁７０とケース側係止壁７２とケース側欠部７４が設けられている。カバー５０は、複数のカバー側係止壁７８が複数のケース側欠部７４からケース側壁面６６に向けてそれぞれ挿入されて第１の位置となる。第１の位置から一方向において互いに逆向きの方向のうちの一つの方向である第１の方向に移動することで開口４８を閉塞する第２の位置となる。カバー側係止壁７８は、第２の位置において複数のケース側係止壁７２と係合してハードディスク用収容部４６の深さ方向でカバー５０が開口４８から離れる方向への移動を阻止するように形成されている。【選択図】図１９
2008047170.tif 000002
【特許請求の範囲】
【請求項１】
外装を構成するケースと、
縦横よりも小さい寸法の深さを有しハードディスク装置が収容されるハードディスク用収容部と、
前記ハードディスク用収容部の前記深さ方向に沿って前記ハードディスク装置が装脱される開口と、
前記開口を閉塞した状態で前記開口に臨む内面と、前記ケースの外面の一部を構成する外面とを有し前記開口を開閉する際に前記深さ方向と直交する面内で前記縦方向または前記横方向のうちの一方向に往復移動されるカバーと、
前記深さ方向と直交する方向かつ前記一方向と直交する方向における前記ハードディスク用収容部の外側の両側の前記ケースの箇所に設けられ、前記深さ方向と交差する面上で前記一方向と平行する方向に延在するケース側壁面と、
前記ハードディスク用収容部に臨む前記ケース側壁面の箇所から立設され前記一方向と平行する方向に延在し前記開口の両側を仕切る第１ケース側ガイド壁と、
前記ハードディスク用収容部と反対に位置する前記第１ケース側ガイド壁の外面の先部に設けられ、前記深さ方向と直交する方向かつ前記一方向と直交する方向に向けて突出しつつ前記第１ケース側ガイド壁に沿って延在する複数のケース側係止壁およびそれらケース側係止壁の間に前記ケース側係止壁が設けられていない箇所となるケース側欠部と、
前記カバーの内面から起立され、前記カバーで前記開口を閉塞した状態で前記両側の前記第１ケース側ガイド壁の外側で前記第１ケース側ガイド壁に平行して延在するカバー側ガイド壁と、
前記カバー側ガイド壁に突設され、前記カバーの内面を前記開口に合わせた際に前記複数のケース側欠部から前記ケース側壁面に向けてそれぞれ挿入される複数のカバー側係止壁とを備え、
前記カバーは、前記複数のカバー側係止壁が前記複数のケース側欠部から前記ケース側壁面に向けてそれぞれ挿入されて第１の位置となり、前記第１の位置から前記一方向において互いに逆向きの方向のうちの一つの方向である第１の方向に移動することで前記開口を閉塞する第２の位置となり、
前記第１の位置から前記カバーを前記深さ方向で前記開口から離れる方向へ移動させると前記開口が開放され、
前記カバー側係止壁は、前記第２の位置において前記複数のケース側係止壁と係合して前記深さ方向で前記カバーが前記開口から離れる方向への移動を阻止する、
ことを特徴とする電子機器。
【請求項２】
前記ケース側壁面は、前記深さ方向と直交する面上を延在している
ことを特徴とする請求項１記載の電子機器。
【請求項３】
前記カバーは、前記ハードディスク用収容部の底面に対向する側面部と、前記側面部の両側から屈曲する両側の端面部とを有し、
前記カバー側ガイド壁は前記端面部の内側で前記端面部と対向しつつ延在し、
前記カバーが前記第１の位置および前記第２の位置ならびにそれらの位置の間に位置した状態で、前記端面部の先端が前記ケース側壁面に当接される、
ことを特徴とする請求項１記載の電子機器。
【請求項４】
前記ハードディスク用収容部は、前記深さ方向と直交する方向かつ前記一方向と直交する方向において互いに対向する内面を有し、
前記第１ケース側ガイド壁が前記ハードディスク用収容部に臨む内面は、前記ハードディスク用収容部の前記内面の一部を構成している、
ことを特徴とする請求項１記載の電子機器。
【請求項５】
前記ケース側壁面上で前記第１ケース側ガイド壁の外側の箇所に、前記カバーが第２の位置に位置した際に前記カバー側ガイド壁に当接して前記カバーの前記深さ方向と直交する方向かつ前記一方向と直交する方向における動きを阻止する第２ケース側ガイド壁が立設されている、
ことを特徴とする請求項１記載の電子機器。
【請求項６】
前記カバーが前記第２の位置に位置した状態で、前記カバー側係止壁は前記第１ケース側ガイド壁に当接し、前記カバーの前記深さ方向と直交する方向かつ前記一方向と直交する方向における動きを阻止する、
ことを特徴とする請求項１記載の電子機器。
【請求項７】
前記カバーが前記第２の位置に位置した状態で、前記ケース側係止壁は前記カバー側ガイド壁に当接し、前記カバーの前記深さ方向と直交する方向かつ前記一方向と直交する方向における動きを阻止する、
ことを特徴とする請求項１記載の電子機器。
【請求項８】
前記カバーが第１の位置に位置した際に、前記複数のケース側係止壁のうちの1つのケース側係止壁に当接可能で、前記1つのケース側係止壁に当接することで前記カバーの前記第１の位置および前記第２の位置から離れる方向への移動を阻止するストッパ壁が前記カバー側ガイド壁に設けられている、
ことを特徴とする請求項１記載の電子機器。
【請求項９】
前記カバーの前記外面の前記第１の方向における先端は、前記第２の位置において前記開口の縁をなす前記ケースの箇所に当接し該ケースの箇所と連続状に接続される、
ことを特徴とする請求項１記載の電子機器。
【請求項１０】
前記複数のケース側係止壁は、前記第１ケース側ガイド壁の全長にわたって位置するように並べられて設けられている、
ことを特徴とする請求項１記載の電子機器。
【請求項１１】
前記カバーが前記第１の位置および前記第２の位置ならびにそれらの位置の間に位置した状態で、前記カバー側ガイド壁の先端が前記ケース側壁面に当接される、
ことを特徴とする請求項１記載の電子機器。
【請求項１２】
前記カバーが前記第２の位置に位置した状態で、前記カバーはねじにより前記ケースに取着される、
ことを特徴とする請求項１記載の電子機器。
【請求項１３】
前記カバーは合成樹脂製で、型により一体成形されていることを特徴とする請求項１記載の電子機器。
【請求項１４】
前記電子機器は撮像装置であり、
前記ケースに収容された撮影光学系と、前記撮影光学系によって導かれた被写体像を撮像する撮像素子と、前記撮像素子によって生成された撮像信号に基づいて生成した画像データを前記ハードディスク装置に記録する信号処理部とを備え、
前記撮像装置の後方から見て前記ハードディスク用収容部は前記ケースの右側面に設けられている、
ことを特徴とする請求項１記載の電子機器。
【請求項１５】
前記電子機器は撮像装置であり、
前記ケースに収容された撮影光学系と、前記撮影光学系によって導かれた被写体像を撮像する撮像素子と、前記撮像素子によって生成された撮像信号に基づいて生成した画像データを前記ハードディスク装置に記録する信号処理部とを備え、
前記撮像装置の後方から見て前記ハードディスク用収容部は前記ケースの右側面に設けられ、
前記一方向は前後方向である、
ことを特徴とする請求項１記載の電子機器。
【請求項１６】
前記電子機器は撮像装置であり、
前記ケースに収容された撮影光学系と、前記撮影光学系によって導かれた被写体像を撮像する撮像素子と、前記撮像素子によって生成された撮像信号に基づいて生成した画像データを前記ハードディスク装置に記録する信号処理部とを備え、
前記撮像装置の後方から見て前記ハードディスク用収容部は前記ケースの右側面に設けられ、
前記一方向は前後方向であり、
前記第１の方向は後方向である、
ことを特徴とする請求項１記載の電子機器。
【請求項１７】
前記電子機器は撮像装置であり、
前記ケースに収容された撮影光学系と、前記撮影光学系によって導かれた被写体像を撮像する撮像素子と、前記撮像素子によって生成された撮像信号に基づいて生成した画像データを前記ハードディスク装置に記録する信号処理部とを備え、
前記撮像装置の後方から見て前記ハードディスク用収容部は前記ケースの右側面に設けられ、
前記カバーが前記第２の位置に位置した状態で前記カバーの前部が前記カバーの後部よりも下方に位置するように傾斜し、
前記一方向は前記傾斜に沿った前後方向である、
ことを特徴とする請求項１記載の電子機器。
【請求項１８】
前記電子機器は撮像装置であり、
前記ケースに収容された撮影光学系と、前記撮影光学系によって導かれた被写体像を撮像する撮像素子と、前記撮像素子によって生成された撮像信号に基づいて生成した画像データを前記ハードディスク装置に記録する信号処理部とを備え、
前記ケースは、前方を向いた前面と、上方を向いた上面と、下方を向いた底面と、側方を向いた左右の側面とを有し、
前記撮影光学系は、前記前面から前方に臨むように設けられ、
前記撮像装置の後方から見て前記ハードディスク用収容部は前記ケースの右側面に設けられ、
前記カバーは前記右側面を構成しており、
グリップベルトが前記右側面の側方を通り前記ケースの前後部にわたって設けられ、
前記右側面と前記グリップベルトとの間に手のひらが挿入されて前記右側面を含む前記ケースの部分が把持される、
ことを特徴とする請求項１記載の電子機器。
【発明の詳細な説明】
【技術分野】
【０００１】
本発明はハードディスク装置を備える電子機器に関する。
【背景技術】
【０００２】
従来からビデオカメラなどの電子機器として、外装を構成するケースにスイッチなどの部材などを収容する収容部を設けるとともに、その収容部を開閉するカバーを設けたものが提供されている（特許文献１参照）。また、この電子機器ではカバーが手で把持するグリップの部分を構成している。
【特許文献１】特開平８−１１６４７９号公報
【発明の開示】
【発明が解決しようとする課題】
【０００３】
しかしながら、このような従来の電子機器では、カバーを開閉するためヒンジと、カバーを閉塞状態にロックするロック機構が設けられていることから部品点数が多く、小型化を図る上で不利があった。
また、ヒンジとロック機構を用いてカバーがケースに設けられているため、グリップを構成するカバーを手で把持したときに生じるがたつきを抑制する上でも不利があった。
一方、近年ではハードディスク装置が組み込まれたビデオカメラなどの電子機器が提供されている。
この種の電子機器では、ハードディスク装置に強い衝撃や振動が加わると内部の磁気ディスクやヘッド部分が互いに衝突して破損するおそれがあるため、ハードディスク装置の組み込みは、組み立て工程の最終段階で行われることが望ましい。そこで、ハードディスク装置を収容するハードディスク用収容部をケースの側面に設け、組立工程の最終段階でハードディスク装置をハードディスク用収容部に収容し、ハードディスク用収容部をカバーで閉塞することが考えられる。
しかしながら、この場合にも、上記と同様に、部品点数が多く小型化を図る上で不利が生じ、カバーを手で把持したときに生じるがたつきを抑制する上でも不利が生じることが考えられる。
本発明はこのような事情に鑑みなされたものであり、その目的は、部品点数の削減および小型化を図る上で有利であり、また、カバーのがたつきの抑制を図る上で有利な電子機器を提供することにある。
【課題を解決するための手段】
【０００４】
上述の目的を達成するため、本発明は、外装を構成するケースと、縦横よりも小さい寸法の深さを有しハードディスク装置が収容されるハードディスク用収容部と、前記ハードディスク用収容部の前記深さ方向に沿って前記ハードディスク装置が装脱される開口と、前記開口を閉塞した状態で前記開口に臨む内面と、前記ケースの外面の一部を構成する外面とを有し前記開口を開閉する際に前記深さ方向と直交する面内で前記縦方向または前記横方向のうちの一方向に往復移動されるカバーと、前記深さ方向と直交する方向かつ前記一方向と直交する方向における前記ハードディスク用収容部の外側の両側の前記ケースの箇所に設けられ、前記深さ方向と交差する面上で前記一方向と平行する方向に延在するケース側壁面と、前記ハードディスク用収容部に臨む前記ケース側壁面の箇所から立設され前記一方向と平行する方向に延在し前記開口の両側を仕切る第１ケース側ガイド壁と、前記ハードディスク用収容部と反対に位置する前記第１ケース側ガイド壁の外面の先部に設けられ、前記深さ方向と直交する方向かつ前記一方向と直交する方向に向けて突出しつつ前記第１ケース側ガイド壁に沿って延在する複数のケース側係止壁およびそれらケース側係止壁の間に前記ケース側係止壁が設けられていない箇所となるケース側欠部と、前記カバーの内面から起立され、前記カバーで前記開口を閉塞した状態で前記両側の前記第１ケース側ガイド壁の外側で前記第１ケース側ガイド壁に平行して延在するカバー側ガイド壁と、前記カバー側ガイド壁に突設され、前記カバーの内面を前記開口に合わせた際に前記複数のケース側欠部から前記ケース側壁面に向けてそれぞれ挿入される複数のカバー側係止壁とを備え、前記カバーは、前記複数のカバー側係止壁が前記複数のケース側欠部から前記ケース側壁面に向けてそれぞれ挿入されて第１の位置となり、前記第１の位置から前記一方向において互いに逆向きの方向のうちの一つの方向である第１の方向に移動することで前記開口を閉塞する第２の位置となり、前記第１の位置から前記カバーを前記深さ方向で前記開口から離れる方向へ移動させると前記開口が開放され、前記カバー側係止壁は、前記第２の位置において前記複数のケース側係止壁と係合して前記深さ方向で前記カバーが前記開口から離れる方向への移動を阻止することを特徴とする。
【発明の効果】
【０００５】
本発明によれば、複数のカバー側係止壁が複数のケース側係止壁に対して係脱する構成であり、従来のヒンジやロック機構を用いる構造に比較してカバーを取り付けるために必要な部品点数を新たに設ける必要はない。したがって、部品点数の削減および小型化を図る上で有利であり、また、カバーのがたつきの抑制を図る上で有利となる。
【発明を実施するための最良の形態】
【０００６】
次に、本発明の実施の形態について図面を参照して説明する。
本実施の形態では、電子機器が撮像装置である場合について説明する。
図１、図２、図３は撮像装置１０の斜視図である。
【０００７】
図１、図２、図３に示すように、撮像装置１０はビデオカメラであり、動画、静止画、音声などのデータをハードディスク装置４２（図４参照）を用いて記録および再生するものである。
撮像装置１０は外装を構成するケース１２を有し、ケース１２は、左右方向の幅よりも大きな寸法の前後方向の長さおよび上下方向の高さを有している。なお、本明細書において左右は、撮像装置１０を後方から見た状態でいうものとし、また、光学系の光軸方向で被写体側を前方といい、撮像素子側を後方という。
ケース１２は、前方を向いた前面１２Ａと、後方を向いた後面１２Ｂと、上方を向いた上面１２Ｃと、下方を向いた底面１２Ｄと、左側方を向いた左側面１２Ｅと、右側方を向いた右側面１２Ｆとを有している。
ケース１２の上部の前部には、撮影光学系１４が組み込まれた鏡筒１６が前後に延在し、その前部がケース１２の前面１２Ａに臨むように設けられている。撮影光学系１４はズームレンズを有し、ズーム率が連続的に可変できるように構成されている。
鏡筒１６の外周には、手動による焦点調整を行うための操作リング１６０２が回転可能に設けられており、操作リング１６０２の外周面には滑り止め用のローレット（きざみ）が形成されている。
鏡筒１６の後端には撮影光学系１４によって導かれた被写体像を撮像する撮像素子１８（図４参照）が設けられている。
図３に示すように、ケース１２の左側部には、撮像素子１８によって撮像された被写体像などを表示するための例えば液晶表示装置からなるディスプレイパネル２０が開閉可能に設けられ、このディスプレイパネル２０は閉じられた際にケース１２の左側面１２Ｅに重ね合わされる。なお、ケース１２の左側面１２Ｅにはスピーカ２２（図４参照）が設けられている。
図１に示すように、ケース１２の上面１２Ｃの前部には、ビデオライトやフラッシュライトなどのアクセサリーを着脱可能に装着するホットシュー２４が設けられている。
図３に示すように、ケース１２の後面１２Ｂには、バッテリー２６（図４参照）を装着するためのバッテリー装着部２８が設けられている。
図１に示すように、ケース１２の上面１２Ｃが鏡筒１６に接続される箇所には、音声を収音するためのマイクロフォン３０が設けられている。
【０００８】
図１、図３に示すように、撮像装置１０には、撮影にまつわる種々の機能を実行するための操作スイッチとして、電源用操作スイッチ３２、静止画撮影用操作スイッチ３４、ズーム用操作スイッチ３６、モード切り換え用操作スイッチ３８、動画撮影用操作スイッチ４０などが設けられている。
電源用操作スイッチ３２、静止画撮影用操作スイッチ３４、ズーム用操作スイッチ３６、モード切り換え用操作スイッチ３８は、ケース１２の上面１２Ｃに設けられている。
動画撮影用操作スイッチ４０は、ケース１２の後面１２Ｂの上下方向の中間で右側面１２Ｆ寄りの箇所に設けられている。
電源用操作スイッチ３２は、撮像装置１０の電源のオン、オフを行うためのものである。
静止画撮影用操作スイッチ３４は、撮像素子１８による静止画の撮影を行うためのものである。
ズーム用操作スイッチ３６は、撮影光学系１４のズーム率を変化させるためのものである。
モード切り換え用操作スイッチ３８は、静止画撮影モードと動画撮影モードとを切り換えるためのものである。
動画撮影用操作スイッチ４０は、動画撮影のスタートとストップを行うためのものである。
なお、右側面１２Ｆの前後部にはグリップベルト装着用の取付部１３Ａ、１３Ｂが設けられ、それら取付部１３Ａ、１３Ｂを介してグリップベルトが右側面１２Ｆの側方を通りケース１２の前後部にわたって設けられ、使用時に、右側面１２Ｆとグリップベルトとの間に手のひらが挿入されて右側面１２Ｆを含むケース１２の部分が把持される。
【０００９】
図４は撮像装置１０の制御系の構成を示すブロック図である。
図４に示すように、撮像装置１０には、映像信号用増幅部１００２、画像データ処理部１００４、音声信号用増幅部１００６、音声データ処理部１００８、ディスプレイドライブ部１０１０、スピーカードライブ部１０１２、バッファメモリ１０１４、メモリ制御部１０１６、メモリカード制御部１０１８、インターフェース部１０２０、Ａ／Ｖ信号生成部１０２２、駆動電圧部１０２４、制御部１０２６、記録再生部１０３０、ハードディスク装置４２、バス４４などが設けられている。
画像データ処理部１００４、音声データ処理部１００８、ディスプレイドライブ部１０１０、スピーカードライブ部１０１２、メモリ制御部１０１６、メモリカード制御部１０１８、インターフェース部１０２０、記録再生部１０３０はバス４４に接続されている。
【００１０】
撮像素子１８で生成された撮像信号は映像信号用増幅部１００２で増幅され、画像データ処理部１００４に供給される。
画像データ処理部１００４は、撮像信号に所定の信号処理を行うことで、動画データおよび静止画データを生成し、記録再生部１０３０に供給される。
マイクロフォン３０で収音された音声信号は音声信号用増幅部１００６で増幅され、音声データ処理部１００８によって所定の信号処理がなされ音声データとして記録再生部１０３０に供給される。
【００１１】
記録再生部１０３０は、画像データ処理部１００４から供給された動画データおよび静止画データや音声データ処理部１００８から供給された音声データを制御部１０２６の制御にしたがって記録再生部１０３０に供給し、記録再生部１０３０は動画データおよび静止画データや音声データをハードディスク装置４２に記録する。
また、記録再生部１０３０は、画像データ処理部１００４から供給された動画データおよび静止画データや音声データ処理部１００８から供給された音声データをメモリカード制御部１０１８を介してメモリカード用スロット１０１９に装着された記録媒体としてのメモリカード２に記録する。
また、記録再生部１０３０は、画像データ処理部１００４から供給された動画データおよび静止画データを、ディスプレイドライブ部１０１０を介してディスプレイパネル２０に供給して画像の表示を行わせる。
また、記録再生部１０３０は、メモリカード制御部１０１８を介してメモリカード２から供給される動画データおよび静止画データを、ディスプレイドライブ部１０１０を介してディスプレイパネル２０に供給して画像の表示を行わせるとともに、メモリカード制御部１０１８を介してメモリカード２から供給されるから供給される音声データをスピーカードライブ部１０１２を介してスピーカ２２に供給して音声の出力を行わせる。
また、記録再生部１０３０は、ハードディスク装置４２から再生された動画データおよび静止画データを、ディスプレイドライブ部１０１０を介してディスプレイパネル２０に供給して画像の表示を行わせるとともに、ハードディスク装置４２から再生された音声データをスピーカードライブ部１０１２を介してスピーカ２２に供給して音声の出力を行わせる。
バッファメモリ１０１４は、メモリ制御回路１０１６、バス４４を介して画像データあるいは音声データを含むデータがリード、ライトされるものである。
【００１２】
制御部１０２６は、電源用操作スイッチ３２の操作によって撮像装置１０の電源のオン、オフを行う。
また、制御部１０２６は、静止画撮影用操作スイッチ３４の操作に基づいて画像データ処理部１００４および記録再生部１０３０に指令を与えることにより、画像データ処理部１００４から供給される静止画データを記録再生部１０３０に供給することで静止画データをハードディスク装置４２に記録させる。
また、制御部１０２６は、ズーム用操作スイッチ３６の操作に基づいて図略のズーム駆動部に指令を与えることにより、撮影光学系１４のズームレンズを移動させることにより、撮影光学系１４のズーム率を変化させる。
また、制御部１０２６は、モード切り換え用操作スイッチ３８の動作に基づいて画像データ処理部１００４に指令を与えることにより、画像データ処理部１００４によって動画データを生成させる動画撮影モードと、画像データ処理部１００４によって静止画データを生成させる静止画撮影モードとを切り換える。
なお、動画撮影モードでは、画像データ処理部１００４で生成された動画データが記録再生部１０３０を介してハードディスク装置４２またはメモリカード２に記録され、静止画撮影モードでは、画像データ処理部１００４で生成された静止画データが記録再生部１０３０を介してハードディスク装置４２またはメモリカード２に記録される。
また、制御部１０２６は、動画撮影用操作スイッチ４０の操作に基づいて動画データの記録の開始、記録の停止を行わせる。すなわち、制御部１０２６は、動画撮影用操作スイッチ４０の操作に基づいて画像データ処理部１００４および記録再生部１０３０に指令を与えることにより、画像データ処理部１００４から記録再生部１０３０に供給される動画データをハードディスク装置４２に記録させる動作を開始させ、あるいは、その動作を停止させる。本実施の形態では、制御部１０２６は、マイクロコンピュータ（汎用のマイクロプロセッサあるいはＤＳＰを含む）によって構成されている。
なお、本実施の形態では、映像信号用増幅部１００２、画像データ処理部１００４、制御部１０２６、記録再生部１０３０などによって特許請求の範囲の信号処理部が構成されている。
【００１３】
また、Ａ／Ｖ信号生成部１０２２は、記録再生部１０３０、あるいは、メモリカード制御部１０１８からインターフェース部１０２０を介して供給される動画（静止画）データ、音声データを所定の映像信号、音声信号に変換して外部装置接続用のコネクタ１０３２を介してテレビジョン装置などの外部装置に出力するものである。
また、駆動電圧部１０２４は、バッテリー２６から供給される電力を所定の電圧、電流に調整して撮像装置１０の各部に供給する。
【００１４】
次に本発明に係るハードディスク装置４２の収容構造について詳細に説明する。
図５は撮像装置１０のハードディスク装置４２の収容構造を示す分解斜視図、図６乃至図１０はハードディスク装置４２をハードディスク用収容部４６への組み込む際の説明図、図１１はハードディスク用収容部４６からカバー５０を取り外した図、図１２はハードディスク用収容部４６の平面図、図１３はハードディスク用収容部４６の要部を拡大した斜視図、図１４はカバー５０の平面図、図１５はカバー５０の斜視図、図１６は図１５のＡ部の拡大斜視図、図１７はカバー５０の斜視図、図１８は図１７のＡＡ線断面図、図１９は撮像装置１０の断面図である。
【００１５】
図５に示すように、ケース１２の右側面１２Ｆには、ハードディスク装置４２が収容されるハードディスク用収容部４６と、ハードディスク用収容部４６の開口４８と、開口４８を開閉するカバー５０とが設けられ、カバー５０で開口４８を閉塞した状態で、カバー５０の外面は右側面１２Ｆの一部（本実施の形態では大半の部分）を構成している。
カバー５０は合成樹脂製で、型により一体成形されている。
また、本実施の形態では、カバー５０の内側に、図５、図７に示すように、開口４８を開閉する内カバー５２が設けられており、後述するように、ハードディスク用収容部４６に収容されたハードディスク装置４２がカバー５０と内カバー５２とによって二重に覆われ、これによりケース１２の外方からの塵埃やガスなどに対するハードディスク装置４２の保護が図られている。
【００１６】
ハードディスク装置４２は、ハードディスクケース４２Ａの内部に磁気ディスク、磁気ヘッドなどが組み込まれて構成され、ハードディスクケース４２Ａは縦横の寸法よりも小さい厚さを有する扁平な矩形板状を呈し、その周囲には２つのダンパー５４が装着されている。
ハードディスク用収容部４６は、ハードディスクケース４２Ａの縦、横、厚さよりも大きな寸法の縦、横、深さで形成され、本実施の形態では、ダンパー５４が装着された状態のハードディスクケース４２Ａを収容できる寸法の縦、横、深さで形成されている。
より詳細には、ハードディスク用収容部４６は、ほぼ矩形の底面４６０２と、底面４６０２の前後部から起立する前内面４６０４、後内面４６０６と、底面４６０２の上下部から起立する上内面４６０８、下内面４６１０とを有している。
開口４８は、それら内面４６０４、４６０６、４６０８、４６１０の先端で矩形状に形成され、ハードディスク装置４２はダンパー５４が装着された状態のまま開口４８からハードディスク用収容部４６の深さ方向に沿って（本実施の形態では撮像装置１０の左右方向に沿って）装脱される。
図１９、図２１に示すように、内カバー５２は、ハードディスク用収容部４６の内面４６０４、４６０６、４６０８、４６１０の全周に設けられた係合凹部４６１２に係合されて配設され、その上からカバー５０の２つのリブ５００２により押さえ付けられる。カバー５０の内面５０１０には図１４、図１５に示すように複数のリブが設けられ、前記２つのリブ５００２は前後に延在し、他のリブよりも大きな高さで形成されている。
【００１７】
次にダンパー５４について説明する。
図２０はダンパー５４の構成を示す斜視図、図２１はダンパー５４とハードディスクケース４２Ａの周囲箇所の構成を示す拡大断面図である。
図５に示すように、ダンパー５４は、ハードディスクケース４２Ａの１辺でその両側の２つの角部を含んだ部分と、前記１辺に対向する１辺でその両側の２つの角部を含んだ部分とに装着され、したがって、ダンパー５４はハードディスクケース４２Ａの縁部の延在方向に間隔をおいて複数（本例では２個）装着されている。
まず、ダンパー５４が装着されるハードディスクケース４２Ａの周囲の箇所から説明すると、図２１に示すように、ハードディスクケース４２Ａの周囲を構成する縁部４２０２は、その縁部４２０２の内側のハードディスクケース部分の厚さ方向の中間部から、縁部４２０２の内側のハードディスクケース部分の厚さよりも小さい寸法の厚さで薄板状に突出して形成されている。縁部４２０２の基部で縁部４２０２の厚さ方向の両側には、その縁部４２０２の内側のハードディスクケース部分の側面４２０４が位置している。
【００１８】
図２０に示すように、ダンパー５４は、第１の部材５６と第２の部材５８とを備えている。
第１の部材５６は、硬質の合成樹脂からなりハードディスクケース４２Ａの縁部４２０２（ハードディスクケース４２Ａの１辺でその両側の２つの角部を含んだ部分）を保持する保持溝６０を備えている。
第１の部材５６は、互いに対向しハードディスクケース４２Ａの縁部４２０２の厚さ方向の両面に当接される一対の対向壁部６００２と、一対の対向壁部６００２の奥部を連結する底壁部６００４を含んで形成され、それら一対の対向壁部６００２と底壁部６００４は直線状に延在し、したがって、第１の部材５６は細長形状を呈している。
保持溝６０は、一対の対向壁部６００２と底壁部６００４とにより構成され、保持溝６０は第１の部材５６の長手方向に延在し、ハードディスクケース４２Ａの１辺をその全長にわたって保持する長さを有している。
【００１９】
第２の部材５８は、弾性材料からなり保持溝６０を露出させた状態で第１の部材５６を覆うように形成されている。
第２の部材５８は、直線状に延在して第１の部材５６を覆う本体部６２と、本体部６２の両側からそれぞれ突出された２つの脚部６４とを備えている。
したがって、ダンパー５４は、一対の対向壁部６００２が対向する方向に沿った厚さを有し、本体部６２は、保持溝６０がダンパー５４の厚さ方向の中央に位置するように設けられている。
なお、第１の部材５６を構成する硬質の合成樹脂としては、例えば、ＡＢＳ樹脂、あるいは、ポリアセタール（ＰＯＭ）などを採用することができる。また、第２の部材５８を構成する弾性材料としては、例えば、エラストマー、ゴムなどを用いた衝撃吸収用ゲル材、スポンジ材などを採用することができる。
このように互いに異なる材料の第１の部材５６と第２の部材５８とからなるダンパー５４は、例えば二色成形により成形されている。
そして、図２１に示すように、一対の対向壁部６００２の互いに対向する面と反対に位置する外面６００２Ａ、および、外面６００２Ａの延長上に位置する底壁部６００４の外面６００４Ａにそれぞれ第２の部材５８の部分５８Ａが位置し、かつ、それら第２の部材５８の部分５８Ａは、ハードディスクケース４２Ａの厚さ方向に変位する際に追従して変形するように、一対の対向壁部６００２の外面６００２Ａおよび底壁部６００４の外面６００４Ａにそれぞれ一体に接合されている。
さらに、外面６００４Ａに直交する底壁部６００４の外面６００４Ｂも第２の部材５８の部分に接合され、したがって、保持溝６０を除く第１の部材５６の外面全域が第２の部材５８の部分に接合されている。
【００２０】
そして、図５、図６に示すように、ハードディスクケース４２Ａの２つの辺にダンパー５４が装着されたハードディスク装置４２が、ハードディスク用収容部４６の深さ方向に沿って移動されることでハードディスク用収容部４６に収容され、開口４８が内カバー５２およびカバー５０で閉塞される。
この状態で２つのダンパー５４の第２の部材５８の本体部６２は、ハードディスク用収容部４６の上下の内面４６０８、４６１０に弾接する。
また、２つのダンパー５４の第２の部材５８の脚部６４は、ハードディスク用収容部４６の前後の内面４６０４、４６０６に弾接している。
また、図２１に示すように、ハードディスクケース４２Ａの縁部４２０２が保持溝６０で保持された状態で、前記一対の対向壁部６００２の先端６００２Ｂは、ハードディスクケース部分の側面４２０４に当接している。
また、ハードディスクケース４２Ａの縁部４２０２が保持溝６０で保持された状態で、縁部４２０２の先端４２０２Ａは底壁部６００４に当接している。
さらに、図１９、図２１に示すように、２つのダンパー５４は、ハードディスクケース４２Ａの厚さ方向からハードディスク用収容部４６の底面４６０２と内カバー５２の内面５２０２により挟持され、このような状態でハードディスク装置４２はハードディスク用収容部４６内に保持されることになる。
【００２１】
このような構成によれば、ケース１２に衝撃や振動が加わっていない状態では、ハードディスク装置４２は、ダンパー５４によってハードディスク用収容部４６の深さ方向のほぼ中央部に、また、上下前後方向のほぼ中央部に保持されている。
ここで、ケース１２に対してハードディスクケース４２Ａの厚さ方向の衝撃あるいは振動が加わると、ハードディスク装置４２が厚さ方向に変位し、第１の部材５６がハードディスク装置４２とともに一体に変位し、第２の部材５８の部分５８Ａは、ハードディスクケース４２Ａの厚さ方向の変位に追従して変形する。
その際、一対の対向壁部６００２の外面６００２Ａのうちの一方の外面６００２Ａに臨む第２の部材５８の部分５８Ａは圧縮され、これと同時に、他方の外面６００２Ａに臨む第２の部材５８の部分５８Ａは伸張される。
したがって、第２の部材５８の部分５８Ａが圧縮されることによって衝撃や振動の緩和がなされると同時に、第２の部材５８の部分５８Ａが伸張されることによっても衝撃や振動の緩和がなされることになり、ハードディスク装置４２に対する衝撃や振動の緩和が効果的になされるとともに、ハードディスク装置４２の変位量を抑制する上でも有利である。
そのため、ハードディスクケース４２Ａと内カバー５２の内面５２０２との間に確保する空間の寸法、および、ハードディスクケース４２Ａとハードディスク用収容部４６の底面４６０２との間に確保する空間の寸法を縮小することができ、ケース１２の小型化を図る上で有利となる。
特に、ハードディスク装置４２では、ハードディスクケース４２Ａの内部でハードディスクケース４２Ａの厚さ方向において、磁気ディスクと磁気ヘッドとが対向する構造となっているため、ハードディスクケース４２Ａの厚さ方向における衝撃や振動を緩和することは極めて重要な問題の１つとなっており、したがって、極めて簡単な構成によりハードディスクケース４２Ａの厚さ方向における衝撃や振動の緩和を効果的に行えることから、ハードディスク装置４２を配設するにあたって極めて有利となる。
また、二色成形によりダンパー５４が形成されている場合には、外面６００４Ａに直交する底壁部６００４の外面６００４Ｂも第２の部材５８の部分５８Ａに接合されているため、ハードディスク装置４２の変位時に、この第２の部材５８の部分５８Ａのせん断作用により衝撃や振動の緩和がなされることになり、ハードディスク装置４２に対する衝撃や振動の緩和が効果的になされる。
【００２２】
次にカバー５０およびカバー５０の開閉構造について説明する。
図１１、図１２、図１３に示すように、ハードディスク用収容部４６の外側の上下部のケース１２箇所に、ケース側壁面６６と第１ケース側ガイド壁６８と第２ケース側ガイド壁７０とケース側係止壁７２とケース側欠部７４が設けられている。
ハードディスク用収容部４６は、上述のように縦横よりも小さい寸法の深さを有している。
図１１、図１４乃至図１８に示すように、カバー５０は、開口４８を閉塞した状態で開口４８に臨む内面５０１０と、ケース１２の右側面１２Ｆの一部を構成する外面５０１２とを有し、開口４８を開閉する際に深さ方向と直交する面内で縦方向または横方向のうちの一方向に往復移動され、本実施の形態では、開口４８を開閉する際に深さ方向と直交する面内で前後方向に往復移動される。したがって、本実施の形態では、「一方向」は前後方向である。
カバー５０にはカバー側ガイド壁７６とカバー側係止壁７８とが設けられている。
以下、詳細に説明する。
【００２３】
図１１、図１２、図１３に示すように、ケース側壁面６６は、ハードディスク用収容部４６の深さ方向と直交する方向かつ前後方向と直交する方向におけるハードディスク用収容部４６の外側の両側のケース１２の箇所に設けられ、本実施の形態では、ハードディスク用収容部４６の上下部に設けられている。
ケース側壁面６６は、ハードディスク用収容部４６の深さ方向と交差する面（本実施の形態ではハードディスク用収容部４６の深さ方向と直交する面）上で前後方向に延在している。
第１ケース側ガイド壁６８は、ハードディスク用収容部４６に臨むケース側壁面６６の箇所から立設され前後方向に延在し開口４８の上下の両側を仕切っている。
第１ケース側ガイド壁６８がハードディスク用収容部４６に臨む内面は、ハードディスク用収容部４６の上内面４６０８、下内面４６１０の一部を構成している。
【００２４】
ケース側係止壁７２は、ハードディスク用収容部４６と反対に位置する第１ケース側ガイド壁６８の外面の先部に設けられている。
ケース側係止壁７２は、ハードディスク用収容部４６のハードディスク用収容部４６の深さ方向と直交する方向かつ前後方向と直交する方向に向けて突出しつつ、すなわち、上下方向に向けて突出しつつ第１ケース側ガイド壁６８に沿って延在して複数設けられている。
また、それらケース側係止壁７２の間は、ケース側係止壁７２が設けられていない箇所であるケース側欠部７４となっている。
本実施の形態では、複数のケース側係止壁７２は、第１ケース側ガイド壁６８の全長にわたって位置するように並べられて設けられている。
【００２５】
第２ケース側ガイド壁７０は、ケース側壁面６６上で第１ケース側ガイド壁６８の外側の箇所に設けられている。詳細には、第２ケース側ガイド壁７０は、カバー５０が後述する第２の位置に位置した際にカバー側ガイド壁７６に当接してカバー５０のハードディスク用収容部４６の深さ方向と直交する方向かつ一方向と直交する方向における動きを阻止するように、すなわち、カバー５０の上下方向における動きを阻止するように形成されている。
【００２６】
図１１、図１４乃至図１８に示すように、カバー側ガイド壁７６は、カバー５０の内面５０１０から起立され、カバー５０で開口４８を閉塞した状態で両側の第１ケース側ガイド壁６８の外側で第１ケース側ガイド壁６８に平行して延在するように設けられている。
カバー側係止壁７８は、カバー側ガイド壁７６の先端または先端寄りの箇所に突設され、カバー５０の内面５０１０を開口４８に合わせた際に複数のケース側欠部７４からケース側壁面６６に向けてそれぞれ挿入されるように複数設けられている。
なお、カバー５０は、図１５、図１９に示すように、ハードディスク用収容部４６の底面４６０２に対向する側面部５０２０と、側面部５０２０の両側から屈曲する両側の端面部５０２２とを有し、カバー側ガイド壁７６は端面部５０２２の内側で端面部５０２２と対向しつつ延在している。
そして、カバー５０が第１の位置（図８、図９参照）および第２の位置（図１０参照）ならびにそれらの位置の間に位置した状態で、端面部５０２２の先端がケース側壁面６６に当接されるように形成されている。
また、本実施の形態では、図１９に示すように、カバー５０が第１の位置および第２の位置ならびにそれらの位置の間に位置した状態で、カバー側ガイド壁７６の先端がケース側壁面６６に当接されるように形成され、使用時に、右側面１２Ｆとグリップベルトとの間に手のひらが挿入されて右側面１２Ｆを含むケース１２の部分が把持された際のカバー５０のがたつきを確実に防止するように図られている。
【００２７】
カバー５０は、複数のカバー側係止壁７８が複数のケース側欠部７４からケース側壁面６６に向けてそれぞれ挿入されて第１の位置となる。
また、第１の位置から一方向において互いに逆向きの方向のうちの一つの方向である第１の方向（本実施の形態では後方）に移動することで開口４８を閉塞する第２の位置となる。
また、第１の位置からカバー５０をハードディスク用収容部４６の深さ方向で開口４８から離れる方向へ移動させると開口４８が開放される。
本実施の形態では、図１に示すように、カバー５０が第２の位置に位置した状態でカバー５０の前部がカバー５０の後部よりも下方に位置するように傾斜し、「一方向」は、より詳細には、前記傾斜に沿った前後方向である。
【００２８】
カバー側係止壁７８は、図１９に示すように、第２の位置において複数のケース側係止壁７２と係合してハードディスク用収容部４６の深さ方向でカバー５０が開口４８から離れる方向への移動を阻止するように形成されている。
本実施の形態では、カバー５０が第２の位置に位置した状態で、カバー側係止壁７８は第１ケース側ガイド壁６８に当接し、カバー５０のハードディスク用収容部４６の深さ方向と直交する方向かつ前記一方向と直交する方向における動き、すなわち上下方向の動きを確実に阻止するように図られている。
【００２９】
また、本実施の形態では、カバー５０が第２の位置に位置した状態で、ケース側係止壁７２はカバー側ガイド壁７６に当接し、カバー５０のハードディスク用収容部４６の深さ方向と直交する方向かつ前記一方向と直交する方向における動き、すなわち上下方向の動きを確実に阻止するように図られている。
また、本実施の形態では、カバー５０が第１の位置に位置した際に、複数のケース側係止壁７２のうちの1つのケース側係止壁７２に当接可能で、1つのケース側係止壁７２に当接することでカバー５０の第１の位置および第２の位置から離れる方向への移動を阻止する、すなわち前方への移動を阻止するストッパ壁８０（図１５、図１７参照）がカバー側ガイド壁７６に設けられ、カバー５０の着脱が容易に行われるように図られている。
また、本実施の形態では、図８に示すように、カバー５０の外面５０１２の第１の方向における先端５０３０は、第２の位置において開口４８の縁をなすケース１２の箇所１２３０に当接し該ケース１２の箇所と連続状に接続されるように形成されている。
また、本実施の形態では、図１０、図１１に示すように、カバー５０が第２の位置に位置した状態で、ねじ８２が、カバー５０の後下部寄りの箇所に設けられたねじ挿通孔８４を介してケース１２に設けられたねじ孔８６に螺合することでカバー５０がケース１２に固定される。
【００３０】
本実施の形態の撮像装置１０によれば、複数のカバー側係合壁７８を複数のケース側欠部７４からケース側壁面６６に向けてそれぞれ挿入してカバー５０を第１の位置とし、カバー５０を第１の位置から一方向において互いに逆向きの方向のうちの一つの方向である第１の方向（後方）に移動することで開口４８を閉塞する第２の位置とし、複数のカバー側係止壁７８が複数のケース側係止壁７２と係合することでカバー５０のがたつきを阻止し、かつ、ハードディスク用収容部４６の深さ方向でカバー５０が開口４８から離れる方向への移動が阻止されるため、従来のヒンジやロック機構を用いる構造に比較してカバー５０を取り付けるために必要な部品点数を新たに設けることなくカバー５０のがたつきを確実に阻止でき、したがって、組み立て工数の削減、コストの削減、小型化を図る上で有利となる。
また、本実施の形態では、ケース側係止壁７２をケース側欠部７４を介在させてカバー５０の移動方向にそれぞれ複数設け、カバー５０をスライドすることでケース側係止部７２とカバー側係止壁７８とを係脱する構成としたので、カバー５０を着脱する際に必要なカバー５０の移動量をケース側係止壁７２の長さに応じた寸法に短縮することができ、撮像装置１０の部材の配置の自由度、すなわち、設計やデザインの自由度を確保する上で有利となる。
また、カバー５０の着脱時に必要なカバー５０の移動量を短縮することで、カバー５０の着脱作業の簡単化を図る上でも有利となる。
特に、本実施の形態では、鏡筒１６の操作リング１６０２にローレットが形成されているため、カバー５０を前方に移動させた際に、カバー５０の前部がローレットに臨む箇所まで移動してしまうと、カバー５０とローレットとが接触して互いに傷を付けてしまうことが想定されるが、上述のようにカバー５０の移動量を短縮することでカバー５０の前部がローレットに接触して傷を付け合うことを防止することができる。
また、本実施の形態では、カバー５０はケース１２の右側面１２Ｆを構成し、撮像装置１０の使用時に把持される箇所となっているので、手で把持した際にカバー５０のがたつきが確実に防止され、撮像装置１０の操作性の向上を図る上で有利となる。
【００３１】
また、本実施の形態では、第１ケース側ガイド壁６８の外側に第２ケース側ガイド壁７０を設け、カバー５０が第２の位置に位置した際に第２ケース側ガイド壁７０がカバー側ガイド壁７６に当接することでカバー５０のハードディスク用収容部４６の深さ方向と直交する方向かつ一方向と直交する方向における動きを阻止するため、すなわち、カバー５０の上下方向の動きを阻止するため、カバー５０に対して上下方向に外力が作用したとしても、カバー５０のがたつきがより確実に防止されることは無論のこと、ケース側係止壁７２とカバー側係止壁７８との係合が外れることも確実に防止され、撮像装置１０の操作性の向上を図る上でより一層有利となる。
また、ハードディスク用収容部４６がケース１２の側面に設けられ、このハードディスク収容部４６を開閉するカバー５０が設けられているので、ハードディスク装置４２の組み込みを、組み立て工程の最終段階で行うことが可能となる。したがって、強い衝撃や振動が加わるとハードディスク装置４２の内部の磁気ディスクや磁気ヘッドが互いに衝突して破損するなどのおそれがあるものの、本実施の形態によればハードディスク装置４２を最終段階で組み込むことから上述のおそれを解消する上で有利となる。
また、ハードディスク用収容部４６がケース１２の側面に設けられ、このハードディスク収容部４６を開閉するカバー５０が設けられているので、電子機器からハードディスク装置４２のみを簡単に装脱でき、したがって、販売後にハードディスク装置４２をより大きなデータ容量のハードディスク装置４２に交換する場合や、あるいは、ハードディスク装置４２を修理（メンテナンス）する場合などに、それらのハードディスク装置４２の交換作業や修理を簡単に行えるという効果も奏される。
また、ハードディスク装置４２がハードディスク用収容部４６を介してケース１２の右側面１２Ｆに設けられているので、撮像素子１８やディスプレイパネル２０などの熱を発する熱源を、ハードディスク装置４２から離れた例えば左側面１２Ｅ寄りの箇所に配置でき、このように配置することでハードディスク装置４２の動作の安定性を高め寿命を延ばす上で有利となる。
【００３２】
また、本実施の形態では、撮像装置１０を左右の側方から見た状態で、カバー５０の移動方向（ハードディスク装置４２の長辺の延在方向）が撮影光学系１４の光軸に対して前方に至るにつれて下方に傾斜している。
したがって、カバー５０の上側の端面部５０２２が前方に至るにつれて下方に傾斜することになる。
そのため、カバー５０を手で把持し、撮影光学系１４の光軸をほぼ水平方向に向けると、カバー５０の上側の端面部５０２２に掛けられた４本の指は、人差し指から小指に至るにつれて次第に下方に変位した箇所に位置することになり、手首を伸ばした自然な状態で撮影光学系１４の光軸を被写体に向けることができ、撮影時における撮影者の疲労を軽減でき使い勝手を高める上で有利となる。
【００３３】
なお、本実施の形態では、ケース側係止壁７２をケース側欠部７４を介在させてカバー５０の移動方向にそれぞれ複数設け、カバー５０をスライドすることでケース側係止部７２とカバー側係止壁７８とを係脱する構成としたが、ケース側係止壁７２とカバー側係止壁７８の双方あるいは一方をカバー５０の前後長さとほぼ同じ寸法で延在形成し、カバー５０をその長さとほぼ同じ距離だけスライドすることでカバー５０の着脱を行うことが考えられる。
しかしながら、その場合には、カバー５０の移動軌跡上あるいは移動軌跡に近接した箇所に撮像装置１０の部材や部分が位置すると、カバー５０の開閉時にカバー５０とそれら部材や部分とが干渉するおそれがあるため、撮像装置１０の部材の配置の自由度が制約される不利がある。
これに対して、本実施の形態のようにケース側係止壁７２をカバー５０の移動方向に切り離して複数設けると、カバー５０を着脱する際に必要なカバー５０の移動量をケース側係止壁７２の長さに応じた寸法に短縮することができ、撮像装置１０の部材の配置の自由度、すなわち、設計やデザインの自由度を確保する上で有利となる。
【００３４】
また、本実施の形態では、電子機器が撮像装置１０である場合について説明したが、本発明は撮像装置に限定されるものではなく、ハードディスク装置を有する様々な電子機器に広く適用可能である。
【図面の簡単な説明】
【００３５】
【図１】撮像装置１０の斜視図である。
【図２】撮像装置１０の斜視図である。
【図３】撮像装置１０の斜視図である。
【図４】撮像装置１０の制御系の構成を示すブロック図である。
【図５】撮像装置１０のハードディスク装置４２の収容構造を示す分解斜視図である。
【図６】ハードディスク装置４２をハードディスク用収容部への組み込む際の説明図である。
【図７】ハードディスク装置４２をハードディスク用収容部への組み込む際の説明図である。
【図８】ハードディスク装置４２をハードディスク用収容部への組み込む際の説明図である。
【図９】ハードディスク装置４２をハードディスク用収容部への組み込む際の説明図である。
【図１０】ハードディスク装置４２をハードディスク用収容部への組み込む際の説明図である。
【図１１】ハードディスク用収容部４６からカバー５０を取り外した図である。
【図１２】ハードディスク用収容部４６の平面図である。
【図１３】ハードディスク用収容部４６の要部を拡大した斜視図である。
【図１４】カバー５０の平面図である。
【図１５】カバー５０の斜視図である。
【図１６】図１５のＡ部の拡大斜視図である。
【図１７】カバー５０の斜視図である。
【図１８】図１７のＡＡ線断面図である。
【図１９】撮像装置１０の断面図である。
【図２０】ダンパー５４の構成を示す斜視図である。
【図２１】ダンパー５４とハードディスクケース４２Ａの周囲箇所の構成を示す拡大断面図である。
【符号の説明】
【００３６】
１０……撮像装置、１２……ケース、４２……ハードディスク装置、４６……ハードディスク用収容部、４８……開口、５０……カバー、５０１０……内面、５０１２……外面、６６……ケース側壁面、６８……第１ケース側ガイド壁、７２……ケース側係止壁、７４……ケース側欠部、７６……カバー側ガイド壁、７８……カバー側係止壁。
【図１】
2008047170.tif 000003
【図２】
2008047170.tif 000004
【図３】
2008047170.tif 000005
【図４】
2008047170.tif 000006
【図５】
2008047170.tif 000007
【図６】
2008047170.tif 000008
【図７】
2008047170.tif 000009
【図８】
2008047170.tif 000010
【図９】
2008047170.tif 000011
【図１０】
2008047170.tif 000012
【図１１】
2008047170.tif 000013
【図１２】
2008047170.tif 000014
【図１３】
2008047170.tif 000015
【図１４】
2008047170.tif 000016
【図１５】
2008047170.tif 000017
【図１６】
2008047170.tif 000018
【図１７】
2008047170.tif 000019
【図１８】
2008047170.tif 000020
【図１９】
2008047170.tif 000021
【図２０】
2008047170.tif 000022
【図２１】
2008047170.tif 000023